(57)【要約】【課題】生体管腔内において、生体組織に対し、留置物を容易、迅速かつ確実に固定することができる固定具および留置物固定システムを提供すること。【解決手段】固定具２は、支持部材３と、支持部材３に設置された複数（図示の構成では、３個）のピン５とを備えている。支持部材３は、線状体３１を交差させて網目状に形成したものであり、折り畳んだ状態と、拡張した状態とを採り得るようになっており、拡張した状態で全体形状が略筒状となるよう構成されている。また、線状体３１は、生分解性を有する材料で構成されている。また、各ピン５は、支持部材３が略筒状になった状態で、支持部材３の周方向に沿って並設されている。また、ピン５は、穿刺部５２と、背骨部５３とを有しており、穿刺部５２は、背骨部５３の基端部５３２から延長して突出している。【選択図】図３
2009233201.tif 000002
【特許請求の範囲】
【請求項１】
生体管腔内において生体組織に対し留置物を固定する固定具であって、
線状体で構成され、折り畳んだ状態と、拡張した状態とを採り得、前記拡張した状態で全体形状が略筒状となる支持部材と、
前記支持部材が略筒状になった状態で該支持部材の周方向に沿って並設され、前記留置物と共に生体組織に穿刺される穿刺部を有する複数のピンとを備え、
前記線状体は、生分解性を有する材料で構成されていることを特徴とする固定具。
【請求項２】
前記ピンは、前記留置物に当接する部位を有し、該留置物を生体組織に密着させる棒状の背骨部を備える請求項１に記載の固定具。
【請求項３】
前記穿刺部および前記背骨部は、それぞれ、直線状をなし、
前記穿刺部の軸と前記背骨部の軸のなす角θが９０°未満となるように、前記穿刺部の軸は、前記背骨部の軸に対して傾斜している請求項２に記載の固定具。
【請求項４】
前記支持部材が略筒状になった状態で、該支持部材の軸と前記背骨部の軸とが略平行である請求項３に記載の固定具。
【請求項５】
前記背骨部は、前記支持部材に固定され、
前記穿刺部は、前記支持部材の外側に向って突出している請求項２ないし４のいずれかに記載の固定具。
【請求項６】
前記穿刺部は、前記背骨部の一方の端部から延長して突出している請求項２ないし５のいずれかに記載の固定具。
【請求項７】
前記ピンは、２つの前記穿刺部を有し、
前記一方の穿刺部は、前記背骨部の一方の端部から延長して突出し、前記他方の穿刺部は、前記背骨部の他方の端部から延長して突出している請求項２ないし５のいずれかに記載の固定具。
【請求項８】
前記ピンは、弾性を有し、前記ピンに外力を加えて変形させたとき、前記穿刺部と前記背骨部とが接近または接触し、前記外力を解除したとき、元の形状に復元するよう構成されている請求項２ないし７のいずれかに記載の固定具。
【請求項９】
前記ピンは、その背面側の表面に、平面を有している請求項１ないし８のいずれかに記載の固定具。
【請求項１０】
前記支持部材は、前記線状体を交差させて網目状に形成したものである請求項１ないし９のいずれかに記載の固定具。
【請求項１１】
請求項１ないし１０のいずれかに記載の固定具と、
生体管腔内において、前記固定具で前記留置物を生体組織に固定する留置物固定装置とを有することを特徴とする留置物固定システム。
【請求項１２】
前記留置物固定装置は、シャフトと、該シャフトの先端部に設けられ、拡張・収縮可能な拡張体とを有する拡張体付シャフトを備え、
前記拡張体は、前記固定具の内側に配置され、前記拡張体が拡張することにより、前記固定具の前記支持部材が拡張されて略筒状となるよう構成されている請求項１１に記載の留置物固定システム。
【請求項１３】
前記拡張体は、バルーンで構成され、
前記バルーンを拡張・収縮させる作動流体が流れる流路が、前記シャフトに沿って形成されている請求項１２に記載の留置物固定システム。
【請求項１４】
前記留置物固定装置は、前記固定具を前記拡張体付シャフトに保持する保持手段を有する請求項１２または１３に記載の留置物固定システム。
【請求項１５】
前記保持手段は、前記固定具を吊る吊糸を有する請求項１４に記載の留置物固定システム。
【請求項１６】
前記固定具の前記吊糸で吊られる部位は、前記ピンの端部付近である請求項１５に記載の留置物固定システム。
【請求項１７】
前記固定具は、生分解性を有する材料で構成された吊手を有し、
前記シャフトは、管体で構成され、
前記留置物固定装置は、前記シャフトの内腔を挿通するワイヤーを有し、
前記吊糸は、その途中の部位を前記吊手に掛けた状態で、前記吊糸の一端側が、前記拡張体付シャフトに接続され、前記吊糸の他端側が、前記ワイヤーに離脱可能に接続されている請求項１５または１６に記載の留置物固定システム。
【請求項１８】
前記吊糸は、その他端側に輪を有し、
前記輪に前記ワイヤーが挿通することで、前記吊糸の他端側が前記ワイヤーに離脱可能に接続されている請求項１７に記載の留置物固定システム。
【請求項１９】
前記吊糸および前記吊手は、それぞれ、前記ピンと同数設けられており、
前記各吊手は、それぞれ、前記各ピンの端部付近に配置されている請求項１７または１８に記載の留置物固定システム。
【請求項２０】
前記留置物固定装置は、前記固定具および前記拡張体が収納される長尺状の外筒を備える請求項１２ないし１９のいずれかに記載の留置物固定システム。
【発明の詳細な説明】
【技術分野】
【０００１】
本発明は、生体管腔内において生体組織に対し留置物を固定する固定具および留置物固定システムに関するものである。
【背景技術】
【０００２】
従来、動脈瘤の治療にあたっては、外科的に動脈瘤を切除し、その部分に人工血管（人工的な材料で作製された管体）を移植するあるいは、バイパス手術と呼ばれる別の新たな血管流路を形成し、血流を確保するという治療法が行われていた。しかし、動脈瘤を発症する患者は一般的に高齢者が多く、このような大手術は、患者の負担が大きいため困難な場合が多く、また術中、術後の合併症も発生し易く、危険を伴うものであった。
【０００３】
また、このような外科的手術をせず、経皮的にステントグラフト（人工血管（グラフト）に金属骨格（ステント）が縫い付けてある医療器具）を留置、移植して動脈瘤を治療する器具および方法が提案されている（例えば、特許文献１参照）。この治療法によれば、手術の危険性および患者の負担が大幅に軽減するという利点がある。
【０００４】
ステントグラフトには、大別して、（１）外力を付与しない自然状態では拡径しており、これに径方向の圧縮力を加え、縮径させた状態、すなわちチューブ内に入れて拡径を規制した状態で動脈内の目的部位（動脈瘤が形成された治療部位）まで移送し、ここで前記圧縮力を除去して自己拡径させ、そこへ留置する所謂セルフエクスパンドタイプのものと、（２）外力を付与しない自然状態では縮径しており、この状態で動脈内の目的部位まで移送した後、別途挿入されたバルーンカテーテルのバルーンを膨張させて、ステントグラフトの端部に設置された金属部材を拡張させ、該拡張に伴う金属部材の塑性変形によりその拡張状態を維持する構成の所謂バルーンエクスパンドタイプのものとがある。
【０００５】
しかしながら、これらのステントグラフトは、いずれも、金属製の骨格であるステントに、布状のグラフトを固定したものであり、ステントグラフトを留置する際に、そのステントグラフトを移送するチューブとして、比較的大きな径のチューブを用いる必要がある。このため、チューブの径を小さくすることが望まれている。
【０００６】
そこで、グラフトのみを血管壁にピンで固定することで、そのグラフトを留置、移植して動脈瘤を治療する方法が提案されている。この治療法によれば、グラフトは、ステントグラフトに比べて小さく折り畳むことができるので、そのグラフトを移送するチューブとして、比較的小さい径のチューブを用いることができ、これにより、患者の負担をさらに軽減することができる。
【０００７】
しかしながら、グラフトを血管壁にピンで固定する場合、複数のピンを用いて、血管壁の周方向に沿って複数個所を固定する必要があり、このため、各ピンを個々に目的部位に穿刺しなければならず、作業に手間と時間がかかるという欠点がある。
【０００８】
【特許文献１】特開２０００−２７９４３４号公報
【発明の開示】
【発明が解決しようとする課題】
【０００９】
本発明の目的は、生体管腔内において、生体組織に対し、留置物を容易、迅速かつ確実に固定することができる固定具および留置物固定システムを提供することにある。
【課題を解決するための手段】
【００１０】
このような目的は、下記（１）〜（２０）の本発明により達成される。
（１）  生体管腔内において生体組織に対し留置物を固定する固定具であって、
線状体で構成され、折り畳んだ状態と、拡張した状態とを採り得、前記拡張した状態で全体形状が略筒状となる支持部材と、
前記支持部材が略筒状になった状態で該支持部材の周方向に沿って並設され、前記留置物と共に生体組織に穿刺される穿刺部を有する複数のピンとを備え、
前記線状体は、生分解性を有する材料で構成されていることを特徴とする固定具。
【００１１】
（２）  前記ピンは、前記留置物に当接する部位を有し、該留置物を生体組織に密着させる棒状の背骨部を備える上記（１）に記載の固定具。
【００１２】
（３）  前記穿刺部および前記背骨部は、それぞれ、直線状をなし、
前記穿刺部の軸と前記背骨部の軸のなす角θが９０°未満となるように、前記穿刺部の軸は、前記背骨部の軸に対して傾斜している上記（２）に記載の固定具。
【００１３】
（４）  前記支持部材が略筒状になった状態で、該支持部材の軸と前記背骨部の軸とが略平行である上記（３）に記載の固定具。
【００１４】
（５）  前記背骨部は、前記支持部材に固定され、
前記穿刺部は、前記支持部材の外側に向って突出している上記（２）ないし（４）のいずれかに記載の固定具。
【００１５】
（６）  前記穿刺部は、前記背骨部の一方の端部から延長して突出している上記（２）ないし（５）のいずれかに記載の固定具。
【００１６】
（７）  前記ピンは、２つの前記穿刺部を有し、
前記一方の穿刺部は、前記背骨部の一方の端部から延長して突出し、前記他方の穿刺部は、前記背骨部の他方の端部から延長して突出している上記（２）ないし（５）のいずれかに記載の固定具。
【００１７】
（８）  前記ピンは、弾性を有し、前記ピンに外力を加えて変形させたとき、前記穿刺部と前記背骨部とが接近または接触し、前記外力を解除したとき、元の形状に復元するよう構成されている上記（２）ないし（７）のいずれかに記載の固定具。
【００１８】
（９）  前記ピンは、その背面側の表面に、平面を有している上記（１）ないし（８）のいずれかに記載の固定具。
【００１９】
（１０）  前記支持部材は、前記線状体を交差させて網目状に形成したものである上記（１）ないし（９）のいずれかに記載の固定具。
【００２０】
（１１）  上記（１）ないし（１０）のいずれかに記載の固定具と、
生体管腔内において、前記固定具で前記留置物を生体組織に固定する留置物固定装置とを有することを特徴とする留置物固定システム。
【００２１】
（１２）  前記留置物固定装置は、シャフトと、該シャフトの先端部に設けられ、拡張・収縮可能な拡張体とを有する拡張体付シャフトを備え、
前記拡張体は、前記固定具の内側に配置され、前記拡張体が拡張することにより、前記固定具の前記支持部材が拡張されて略筒状となるよう構成されている上記（１１）に記載の留置物固定システム。
【００２２】
（１３）  前記拡張体は、バルーンで構成され、
前記バルーンを拡張・収縮させる作動流体が流れる流路が、前記シャフトに沿って形成されている上記（１２）に記載の留置物固定システム。
【００２３】
（１４）  前記留置物固定装置は、前記固定具を前記拡張体付シャフトに保持する保持手段を有する上記（１２）または（１３）に記載の留置物固定システム。
【００２４】
（１５）  前記保持手段は、前記固定具を吊る吊糸を有する上記（１４）に記載の留置物固定システム。
【００２５】
（１６）  前記固定具の前記吊糸で吊られる部位は、前記ピンの端部付近である上記（１５）に記載の留置物固定システム。
【００２６】
（１７）  前記固定具は、生分解性を有する材料で構成された吊手を有し、
前記シャフトは、管体で構成され、
前記留置物固定装置は、前記シャフトの内腔を挿通するワイヤーを有し、
前記吊糸は、その途中の部位を前記吊手に掛けた状態で、前記吊糸の一端側が、前記拡張体付シャフトに接続され、前記吊糸の他端側が、前記ワイヤーに離脱可能に接続されている上記（１５）または（１６）に記載の留置物固定システム。
【００２７】
（１８）  前記吊糸は、その他端側に輪を有し、
前記輪に前記ワイヤーが挿通することで、前記吊糸の他端側が前記ワイヤーに離脱可能に接続されている上記（１７）に記載の留置物固定システム。
【００２８】
（１９）  前記吊糸および前記吊手は、それぞれ、前記ピンと同数設けられており、
前記各吊手は、それぞれ、前記各ピンの端部付近に配置されている上記（１７）または（１８）に記載の留置物固定システム。
【００２９】
（２０）  前記留置物固定装置は、前記固定具および前記拡張体が収納される長尺状の外筒を備える上記（１２）ないし（１９）のいずれかに記載の留置物固定システム。
【発明の効果】
【００３０】
本発明によれば、生体管腔内（例えば、血管や心臓等の血流のある部位）において、その生体管腔を画成する生体組織に対し、周方向に沿って複数箇所に、同時に、ピンを穿刺することができる。すなわち、生体組織に対し、その全周に亘って、同時に、複数のピンを穿刺することができる。
【００３１】
これにより、生体管腔内において、生体組織に対し、留置物を容易、迅速かつ確実に固定することができる。
【００３２】
また、支持部材を構成する線状体は、生分解性を有する材料で構成されているので、固定具で留置物を生体組織に固定した後、その支持部材は、経時的に生体に吸収されてゆき（消失してゆき）、最終的には、支持部材は、生体管腔内に残らず、複数のピンのみで留置物を生体組織に固定することができる。
【００３３】
これにより、支持部材を生体管腔内から抜去する作業が不要となり、患者の負担が軽減される。
【発明を実施するための最良の形態】
【００３４】
以下、本発明の固定具および留置物固定システムを添付図面に示す好適な実施形態に基づいて詳細に説明する。
【００３５】
なお、本発明は、生体管腔内において、その生体管腔を画成する生体組織に対し、各留置物を固定する固定具および留置物固定システムに適用することができるが、下記の実施形態では、代表的に、本発明を、血管の動脈瘤付近に挿入・留置されるグラフトを血管壁（血管内）に固定する固定具および留置物固定システムに適用した場合について説明する。
【００３６】
＜第１実施形態＞
図１は、本発明の留置物固定システムの実施形態を示す側面図、図２は、図１に示す留置物固定システムの主要部を示す斜視図（一部、側面図）、図３は、本発明の固定具の第１実施形態を示す斜視図、図４は、血管の動脈瘤付近に挿入・留置されたグラフトを図３に示す固定具で血管壁に固定した状態を示す断面図、図５〜図７は、それぞれ、図１に示す留置物固定システムの作用を説明するための斜視図（一部、側面図）、図８は、図１に示す留置物固定システムの作用を説明するための断面斜視図である。また、図９は、本発明の固定具の第１実施形態の他の構成例を示す斜視図である。
【００３７】
なお、以下では、留置物固定装置については、図１および図２中の左側を「先端」、右側を「基端（後端）」とし、図５〜図７中の上側を「先端」、下側を「基端（後端）」とし、固定具（支持部材、ピン）については、前記と逆に、図１および図２中の左側を「基端」、右側を「先端」とし、図５〜図７中の上側を「基端」、下側を「先端」として説明を行う。また、図３、図４、図８および図９中の上側を「基端」、下側を「先端」として説明を行う。
【００３８】
また、固定具の支持部材について、紙面に対して奥側の線状体は、理解が容易になるように、図３、図５〜図７では、その一部のみを破線で示し、図９では、全部を破線で示す。また、図５〜図７では、グラフトおよび血管壁は、図示されていない。
【００３９】
図１〜図４に示すように、留置物固定システム（固定具打込システム）１００は、留置物固定装置（固定具打込装置）１および固定具２を有している。
【００４０】
図３および図４に示す固定具２は、大動脈等の血管３００内の動脈瘤３２０付近に挿入・留置される人工血管であるグラフト（留置物）２００を、血管３００内（生体管腔内）において、血管壁（生体管腔を画成する生体組織）３１０に固定する固定具である。
【００４１】
そして、図１および図２に示す留置物固定装置（固定具打込装置）１は、図４に示すように、固定具２の複数のピン５を血管３００内においてその血管壁３１０およびグラフト２００に穿通させる（穿刺する）装置、すなわち、大動脈等の血管３００内の動脈瘤３２０付近に挿入・留置されるグラフト２００を、血管３００内において、固定具２で血管壁３１０に固定する装置である。
【００４２】
まずは、グラフト２００について説明する。
図４に示すように、グラフト２００は、そのグラフト２００が固定される血管３００の形状および寸法に対応した形状および寸法を有しており、通常、筒状をなしている。また、グラフト２００は、折り畳まれたり、折り畳まれた状態から広がることができるようになっている。
【００４３】
このグラフト２００は、血流を透過させないもの（膜）であればよく、例えば、織物、編物、不織布、紙材のような繊維性多孔質膜、その他、非繊維性多孔質膜、高分子シートのような緻密膜等が挙げられる。
【００４４】
また、グラフト２００の素材（繊維）としては、例えば、セルロース繊維、綿、リンター、カポック、亜麻、大麻、ラミー、絹、羊毛等の天然繊維、ナイロン（ポリアミド）、テトロン、レーヨン、キュプラ、アセテート、ビニロン、アクリル、ポリエチレンテレフタレート（ポリエステル）、ポリプロピレン等の化学繊維、またはこれら天然および化学繊維のうちの２以上の組み合わせ（混紡等）等が挙げられる。
【００４５】
また、グラフト２００の素材（高分子シート）の他の例としては、例えば、ポリエチレン、ポリプロピレン、ポリウレタン、ポリエチレンテレフタレート、ポリブチレンテレフタレート等のポリエステル、ポリ塩化ビニル、ポリテトラフルオロエチレン、天然ゴム、イソプレンゴム、シリコーンゴム、スチレン−ブタジエンゴム、ラテックスゴム等の各種ゴム、ポリアミド系、ポリエステル系、ポリウレタン系等の各種熱可塑性エラストマー等が挙げられる。
【００４６】
また、グラフト２００は、同一または異なる材料による２層以上の積層体であってもよい。さらに、グラフト２００に対し親水化処理または疎水化処理が施されていてもよい。
【００４７】
なお、グラフト２００は、後述する固定具２により、血管３００の正常部位に固定される。また、グラフト２００は、固定具２の複数のピン５により、その血流の上流側の部位において、周方向に沿って（全周（１周）に亘って）、複数箇所が固定される。
【００４８】
次に、固定具２について説明する。
図３および図４に示すように、固定具２は、支持部材（連結部材）３と、支持部材３に設置（固定）された複数（図示の構成では、３個）のピン５とを備えている。
【００４９】
支持部材３は、各ピン５を支持（保持）（連結）する手段であり、線状体（糸）３１で構成されている。すなわち、支持部材３は、線状体３１を交差させて網目状に形成したものである。
【００５０】
この支持部材３は、折り畳んだ状態と、拡張した状態とを採り得るようになっており、拡張した状態で全体形状が略筒状（図示の構成では、円筒状）となるよう構成されている。
【００５１】
固定具２は、この支持部材３が折り畳まれた状態で、後述する留置物固定装置１の外筒７内の先端部に収納されるが、支持部材３は、線状体３１で構成されているので、支持部材３（固定具２）を小さく折り畳むことができ、外筒７の径を小さくすることができ、これによって、患者の負担を軽減することができる。
【００５２】
そして、支持部材３は、後述する留置物固定装置１のバルーン８２が拡張することにより、そのバルーン８２で拡張されて略筒状になる（図６参照）。
【００５３】
また、支持部材３は、実質的に形状保持性を有していないことが好ましい。これにより、支持部材３を容易に小さく折り畳むことができ、後述する留置物固定装置１の外筒７の径をより小さくすることができ、これによって、細い血管にグラフト２００を留置することができ、また、患者の負担を軽減することができる。
【００５４】
また、線状体３１は、生分解性を有する材料（生分解性材料）（生体吸収性材料）で構成されている。用いられる生分解性材料としては、例えば、ポリ乳酸、ポリグリコール酸、ポリジオキサノン、キチン、キトサン等の単体、あるいは、これらの複合体または共重合体等が挙げられる。
【００５５】
線状体３１を生分解性材料で構成することにより、固定具２でグラフト２００を血管壁３１０に固定した後、支持部材３は、経時的に生体に吸収されてゆき（消失してゆき）、最終的には、支持部材３は、血管３００内に残らず、各ピン５のみでグラフト２００を血管壁３１０に固定することができる。これにより、支持部材３を血管３００内から抜去する作業が不要となり、患者の負担が軽減される。
【００５６】
なお、支持部材３の寸法は、特に限定されず、固定具の使用部位（動脈瘤のある血管の種類や部位）や症例等に応じて適宜決定される。通常は、支持部材３が略筒状になった状態で、支持部材３の長さは、例えば、５〜３０ｍｍ程度であるのが好ましく、１０〜２０ｍｍ程度であるのがより好ましく、また、支持部材３の径（直径）は、例えば、５〜５０ｍｍ程度であるのが好ましく、１０〜３０ｍｍ程度であるのがより好ましい。
【００５７】
各ピン５は、前記支持部材３が略筒状になった状態（拡張した状態）で、支持部材３の周方向に沿って並設されている。また、各ピン５は、支持部材３が略筒状になった状態で、支持部材３に等間隔（等角度間隔）で配置されている。
【００５８】
ピン５の数は、２個以上であれば特に限定されないが、３個以上であるのが好ましく、３〜８個程度であるのがより好ましい。なお、図示の構成では、ピン５は、３個設けられている。
【００５９】
各ピン５の構成は、同様であるで、以下では、代表的に、１つのピン５を説明する。
ピン５は、穿刺部（穿通部）５２と、背骨部５３とを有している。本実施形態では、穿刺部５２は、背骨部５３の基端部（一方の端部）５３２から延長して突出しており、背骨部５３の基端部５３２が、ピン５の頭部を構成している。
【００６０】
穿刺部５２は、グラフト２００と共に血管壁３１０を穿通する（穿刺する）部位であり、棒状で、直線状をなしている。この穿刺部５２がグラフト２００と共に血管壁３１０を穿通することにより、グラフト２００が血管壁３１０に固定される。また、穿刺部５２の先端部５２１は、尖っており、これより、穿刺部５２は、容易かつ確実に、グラフト２００および血管壁３１０を穿通することができる。
【００６１】
また、背骨部５３は、棒状で、直線状をなしている。この背骨部５３は、グラフト２００に当接（圧接）する部位を有している。この場合、背骨部５３は、直線状をなしているので、略全長に亘ってグラフト２００に当接することができ、その背骨部５３がグラフト２００を血管壁３１０に押し付けることにより、グラフト２００は、血管壁３１０に密着する。このようにして、グラフト２００を血管壁３１０に確実に密着させることができる。
【００６２】
また、ピン５は、その背面側の表面、すなわち、背骨部５３の背面側（穿刺部５２と反対側）の表面に、平面を有しているのが好ましい。これにより、後述する留置物固定装置１のバルーン８２が拡張することにより、支持部材３が拡張されて略筒状になるとき、バルーン８２にその平面の部分（平面部）が当接し、ピン５の向きが規制され、これによって、確実に、ピン５の穿刺部５２を血管壁３１０側に向けることができる。
【００６３】
この背骨部５３は、支持部材３に固定されている。本実施形態では、背骨部５３は、支持部材３が略筒状になった状態でその軸５３０と支持部材３の軸３０とが略平行になる姿勢で、支持部材３の外周面に固定されている。背骨部５３を支持部材３に固定する方法は、特に限定されず、例えば、生分解性材料で構成された糸で巻き付け（結び付け）たり、また、融着等が挙げられる。なお、背骨部５３は、支持部材３の内周面に固定されていてもよい。
【００６４】
一方、穿刺部５２は、支持部材３の外側に向って突出している。すなわち、穿刺部５２の軸５２０は、その軸５２０と背骨部５３の軸５３０のなす角（角度）θが９０°未満となるように、軸５３０に対して傾斜している。換言すれば、ピン５は、「レ」の字状をなしている。そして、ピン５は、グラフト２００を血管壁３１０に固定する際、穿刺部５２の基端部および背骨部５３の基端部５３２が血流の上流側に位置し、穿刺部５２の先端部５２１および背骨部５３の先端部（他方の端部）５３１が血流の下流側に位置するように設置される。
【００６５】
これにより、穿刺部５２は、血管壁３１０に対して傾斜するように穿刺され、血流は、ピン５に対し、穿刺部５２が血管壁３１０に刺さる方向に作用し、これによって、穿刺部５２が血管壁３１０から抜け難くなり、グラフト２００を血管壁３１０に確実に固定することができる。
【００６６】
ここで、前記角度θは、０°を超え、９０°未満であるのが好ましく、３０〜６０°程度であるのがより好ましく、４０〜５０°程度であるのがさらに好ましい。これにより、グラフト２００を血管壁３１０により確実に固定することができ、また、穿刺部５２が、より容易かつ円滑に、グラフト２００および血管壁３１０を穿通することができる。
【００６７】
また、背骨部５３の長さは、穿刺部５２の長さよりも長く設定されている。これにより、グラフト２００を血管壁３１０により確実に密着させることができる。
【００６８】
そして、本実施形態では、支持部材３が略筒状になった状態で、背骨部５３の長さは、支持部材３の軸３０の方向の長さと等しく設定され、背骨部５３の先端部５３１と支持部材３の先端部とが一致し、背骨部５３の基端部５３２（穿刺部５２の基端部）と支持部材３の基端部とが一致している。これにより、ピン５が、支持部材３によって、より確実に支持される。
【００６９】
なお、穿刺部５２および背骨部５３の寸法は、それぞれ、特に限定されず、諸条件に応じて適宜設定されるが、穿刺部５２の長さは、例えば、４〜１０ｍｍ程度であるのが好ましく、６〜８ｍｍ程度であるのがより好ましい。
【００７０】
また、背骨部５３の長さは、例えば、１５〜２５ｍｍ程度であるのが好ましく、１８〜２２ｍｍ程度であるのがより好ましい。
【００７１】
また、ピン５は、弾性を有している。すなわち、ピン５は、そのピン５に外力を加えて変形させたとき、穿刺部５２と背骨部５３とが接近または接触し、その外力を解除したとき（自然状態）、復元力（弾性力）により、元の形状に復元するよう構成されている。
【００７２】
ピン５の構成材料としては、例えば、ステンレス鋼、Ｎｉ−Ｔｉ系合金、Ｃｕ−Ｚｎ系合金、Ｎｉ−Ａｌ系合金等の擬弾性金属、タングステン、タングステン系合金、チタン、チタン系合金、タンタル、ニッケル、クロム、コバルト系合金等の各種金属が挙げられる。
【００７３】
また、固定具２は、生分解性材料で構成された吊手４を有している。この吊手４は、生分解性材料で構成された線状体（糸）で構成されている。
【００７４】
また、吊手４は、ピン５と同数（図示の構成では、３つ）設けられており、各吊手４は、それぞれ、支持部材３の各ピン５の基端側の端部付近に配置されている。本実施形態では、各吊手４は、それぞれ、支持部材３の基端部の、各ピン５の穿刺部５２の基端部および背骨部５３の基端部５３２の近傍の部位に固定されており、各吊手４と支持部材３の線状体３１とで、それぞれ、輪が形成されている。この支持部材３の各ピン５の基端側の端部付近の部位、すなわち、各吊手４が固定されている部位が、それぞれ、その吊手４を介して後述する留置物固定装置１の吊糸６で吊られる部位である。
【００７５】
なお、吊手４を構成する生分解性材料としては、前記支持部材３と同様のものを用いることができる。
【００７６】
次に、留置物固定装置１について説明する。
図１および図２に示すように、留置物固定装置１は、長尺状の外筒（外チューブ）７と、バルーン付シャフト（拡張体付シャフト）８と、ワイヤー９と、固定具２をバルーン付シャフト８に保持する保持手段として、固定具２を吊る吊糸６とを備えている。
【００７７】
外筒７は、可撓性を有しており、その先端側および基端側は、それぞれ、開放している。この外筒７内の先端部に、固定具２および後述するバルーン付シャフト８のバルーン８２が収納される。
【００７８】
また、外筒７の基端部には、ハブ１１が設置（固定）されている。このハブ１１は、ポート１１１を有しており、ポート１１１は、外筒７の内腔に連通している。なお、このハブ１１を把持し、外筒７を操作することができる。
【００７９】
バルーン付シャフト８は、可撓性を有するシャフト８１と、シャフト８１の先端部に設けられ、拡張・収縮可能なバルーン（拡張体）８２とを有している。このバルーン付シャフト８は、外筒７内に、外筒７（シャフト８１）の長手方向に沿って移動可能に設置されている。
【００８０】
また、シャフト８１は、管体（チューブ）で構成されており、シャフト８１の基端部は、ハブ１１のポート１１１から基端側（外部）に突出している。
【００８１】
また、シャフト８１の基端部には、ハブ（分岐ハブ）１２が設置（固定）されている。このハブ１２は、ポート１２１およびポート（分岐ポート）１２２を有しており、ポート１２１は、シャフト８１の内腔に連通し、ポート１２１は、シャフト８１の後述するルーメン８３に連通している。なお、このハブ１２を把持し、バルーン付シャフト８を操作することができる。
【００８２】
また、シャフト８１の先端部には、作動流体の注入（供給）・抜き取り（排出）により拡張・収縮し得るバルーン８２が設置されている。
【００８３】
バルーン８２は、その中心軸がシャフト８１の中心軸と一致するように設置されており、シャフト８１の中心軸に対し、対称に拡張するよう構成されている。
【００８４】
前記固定具２は、このバルーン８２に搭載（離脱可能に設置）され、吊糸６で吊られて、バルーン８２に保持される。また、バルーン８２は、固定具２の支持部材３の内側に配置され、バルーン８２が拡張することにより、その支持部材３は、拡張されて略筒状となる（図６参照）。
【００８５】
バルーン８２は、膜状物を例えばシート状や筒状に成形してなるものであり、シャフト８１の外周面に対し、気密的または液密的に固着されている。この固着は、例えば融着または接着剤による接着によりなされている。
【００８６】
バルーン８２は、拡張前（収縮時）は、しぼんで畳まれている状態となっているが、その内部に作動流体が供給されることにより拡張し、逆に、内部から作動流体を排出すると、収縮する。
【００８７】
バルーン８２は、各種の高分子材料（特に、熱可塑性樹脂）で構成されている。この場合、バルーン８２は、全体として可撓性を有する材料で構成されているのが好ましい。
【００８８】
バルーン８２の構成材料としては、例えば、ポリエチレンテレフタレート、ポリブチレンテレフタレート等のポリエステル樹脂またはこれを含むポリエステルエラストマー、ポリエチレン、ポリプロピレン等のオレフィン系樹脂またはそれに架橋処理を施したもの（特に、電子線照射により架橋させたもの）、ナイロン１１、ナイロン１２、ナイロン６１０等のポリアミド系樹脂またはこれを含むポリアミドエラストマー、ポリウレタン樹脂、エチレン−酢酸ビニル共重合体またはこれらに架橋処理を施したもの、シリコーン樹脂またはこれらのうちの少なくとも一種を含むポリマーブレンド、ポリマーアロイ等の材料が挙げられる。
【００８９】
さらに、これらの材料よりなる膜を複数積層した積層体でバルーン８２を構成してもよい。この場合、例えば、各層を共押出成形したり、各層を接着、融着等により接合したり、１つの層の上にコーティングにより他の層を形成したりする方法で積層体を得ることができる。また、上記材料からなる層の外側または内側に、軟質樹脂層、硬質樹脂層、潤滑性材料の層、抗血栓性材料の層等を設けてもよい。
【００９０】
なお、バルーン８２の構成材料中には、例えば、ヘパリン、プロスタグランジン、ウロキナーゼ、アルギニン誘導体等の抗血栓性材料や、前述したマーカーとして機能する硫酸バリウム、炭酸バリウム、酸化ビスマス、タングステン等のＸ線不透過材料が配合されていてもよい。
【００９１】
また、シャフト８１には、その長手方向に沿って、バルーン８２を拡張・収縮させる作動流体が流れる流路となるルーメン８３が形成されている。このルーメン８３は、シャフト８１のほぼ全長に渡って形成されている。ルーメン８３の先端は、シャフト８１の先端部の側方、すなわち、バルーン８２の内部に位置するシャフト８１の外周面に開放（開口）し、基端側は、ハブ１２のポート１２２に連通している。これにより、ルーメン８３を介してバルーン８２の内部とポート１２２とが連通する。
【００９２】
また、ポート１２２には、バルーン８２に対し、作動流体を供給・排出する供給・排出手段として、例えば、作動流体が充填されたシリンジ４００が接続される。
【００９３】
この作動流体としては、圧力変動によって体積が変化しない液体が使用でき、生体に無害であるものが好ましい。また、液体の中でも、Ｘ線造影性を有する液体であるのがより好ましく、例えば、動脈用造影剤等のＸ線造影剤を生理食塩水で数倍に希釈した液体等を使用することができる。この場合、バルーン８２の位置がＸ線透視下で確認できる。
【００９４】
ワイヤー９は、シャフト８１内に、シャフト８１（ワイヤー９）の長手方向に沿って移動可能に設置されている。
【００９５】
このワイヤー９は、シャフト８１の内腔を挿通しており、ワイヤー９の基端部は、ハブ１２のポート１２１から基端側（外部）に突出している。そして、ワイヤー９の基端部には、把持部１３が設置（固定）されており、この把持部１３を把持し、ワイヤー９を操作することができるようになっている。
【００９６】
また、外筒７の先端部には、Ｘ線透視下で外筒７の先端部の生体内での位置を確認するための（外筒７の先端部の生体内での位置を示す）図示しないマーカーが設置されているのが好ましい。
【００９７】
また、バルーン付シャフト８の先端部における固定具２（バルーン８２）の近傍の部位には、Ｘ線透視下で固定具２（バルーン８２）の生体内での位置を確認するための（固定具２の生体内での位置を示す）図示しないマーカーが設置されているのが好ましい。
【００９８】
各マーカーは、それぞれ、例えば、白金、金、銀、タングステン等の金属、またはこれらの合金等のＸ線不透過材料で構成される。また、各マーカーは、それぞれ、前記Ｘ線不透過材料や、その他例えば硫酸バリウム、炭酸バリウム、酸化ビスマス等のＸ線不透過材料が配合された層（例えば塗膜）であってもよい。
【００９９】
なお、各マーカーは、それぞれ、Ｘ線透視下に限らず、例えば、ＣＴスキャン、ＭＲＩ等において外筒７の先端部の位置、固定具２（バルーン８２）の位置を確認することができるものであってもよい。
【０１００】
外筒７、バルーン付シャフト８およびワイヤー９の寸法（長さ、外径、内径等）は、それぞれ、特に限定されず、留置物固定装置１の使用部位（動脈瘤のある血管の種類や部位）や症例等に応じて適宜決定される。通常は、外筒７、バルーン付シャフト８（シャフト８１）およびワイヤー９の長さは、それぞれ、８０〜１２０ｃｍ程度であるのが好ましく、６０〜１００ｃｍ程度であるのがより好ましい。また、外筒７の外径は、４．５〜５．５ｍｍ程度であるのが好ましく、３．５〜４．５ｍｍ程度であるのがより好ましい。
【０１０１】
また、外筒７およびバルーン付シャフト８のシャフト８１は、それぞれ、所望の可撓性を有するものであり、その構成材料としては、例えば、ポリオレフィン系樹脂、ポリアミド系樹脂、ウレタン系樹脂、ポリイミド系樹脂等の各種熱可塑性樹脂または熱硬化性樹脂を用いることができる。具体的には、例えば、ポリエチレン、ポリプロピレン、エチレン−プロピレン共重合体、エチレン−酢酸ビニル共重合体（ＥＶＡ）等のポリオレフィン、ポリ塩化ビニル、ポリエチレンテレフタレート（ＰＥＴ）、ポリブチレンテレフタレート（ＰＢＴ）等のポリエステル、ポリウレタン、ポリアミド、ポリイミド、ポリスチレン系樹脂、フッ素系樹脂、スチレン系、ポリオレフィン系、ポリ塩化ビニル系、ポリウレタン系、ポリエステル系、ポリアミド系、ポリブタジエン系、フッ素ゴム系等の各種熱可塑性エラストマーが挙げられる。
【０１０２】
吊糸６は、ピン５と同数（図示の構成では、３つ）設けられている。各吊糸６の構成は、同様であるので、以下では、代表的に、１つの吊糸６を説明する。
【０１０３】
吊糸６は、吊手４と支持部材３の線状体３１とで形成された輪を挿通し、吊糸６の途中の部位を吊手４に掛けた状態で、吊糸６の一端側が、バルーン付シャフト８（シャフト８１）に接続（固定）され、吊糸６の他端側が、シャフト８１の先端部から先端側（外部）に突出しているワイヤー９に離脱可能に接続されている。これにより、固定具２は、吊糸６で吊られ、バルーン付シャフト８に保持される。
【０１０４】
具体的には、吊糸６は、その一端側がバルーン付シャフト８のシャフト８１の先端部、すなわち、シャフト８１のバルーン８２よりも先端側の部位に固定されている。そして、吊糸６は、その他端側に輪６１を有しており、輪６１にワイヤー９が挿通している。この吊糸６の他端側は、輪６１にワイヤー９が挿通している状態では、ワイヤー９に接続されており、輪６１からワイヤー９が抜けると、ワイヤー９から離脱する。
【０１０５】
図２に示すように、初期状態（組立状態）では、バルーン付シャフト８のバルーン８２は、収縮しており、固定具２は、その支持部材３が折り畳まれた状態で、かつ、ピン５の基端側（背骨部５３の基端部５３２側）がバルーン付シャフト８の先端側を向くように、バルーン８２に搭載（離脱可能に設置）されている。この場合、バルーン８２は、固定具２の支持部材３の内側に配置される。また、固定具２は、各吊糸６で吊られ、これにより、バルーン８２に保持されている。なお、吊糸６の長さを調整することで、バルーン８２に対する固定具２の位置を調整することができる。
【０１０６】
そして、初期状態では、この固定具２を搭載したバルーン８２は、前述したように、外筒７内の先端部に収納されている。この場合、固定具２の各ピン５は、それぞれ、穿刺部５２と背骨部５３とが、接近または接触するように弾性変形した状態（折り畳まれた状態）で収納されている。なお、前述したように、各ピン５は、それぞれ、「レ」の字状をなしているので、容易に、折り畳むことができる。
【０１０７】
次に、留置物固定システム１００の使用方法（作用）、すなわち、血管３００の動脈瘤３２０付近に導入されたグラフト２００を、固定具２により血管壁３１０に固定する際の手順の一例について、図２、図４〜図８を参照しつつ説明する。
【０１０８】
なお、グラフト２００は、例えば、管状をなす図示しない導入シース等を用いて、既に、血管３００の目的部位（動脈瘤３２０の近傍）へ導入されているものとする。
【０１０９】
まず、図２に示すように、固定具２を搭載したバルーン８２が外筒７内の先端部に収納された状態の留置物固定装置１をＸ線透視下で大腿部等から経皮的に血管３００に導入し、外筒７の先端部を血管３００の動脈瘤３２０がある部分まで移送する（図４参照）。そして、グラフト２００の固定具２で固定する部位に、その固定具２が位置するように、外筒７を位置決めする。この位置決めは、例えば、外筒７の先端部や、バルーン付シャフト８の先端部に設けられたマーカーを利用して行うことができる。
【０１１０】
次に、図５に示すように、バルーン付シャフト８およびワイヤー９を固定した状態で、外筒７を基端方向（図５中下側）に引く（移動させる）。これにより、固定具２およびバルーン８２が、外筒７から血管３００内に放出される。これによって、弾性変形していた各ピン５は、それぞれ、その復元力（弾性力）により、穿刺部５２と背骨部５３とが離間してゆき、元の形状よりも少し手前の形状（元の形状よりも穿刺部５２と背骨部５３とが少し接近した状態）または元の形状に復元する。
【０１１１】
次に、図６に示すように、バルーン拡張器（シリンジ４００）により、作動流体をバルーン８２に供給し、バルーン８２を拡張させる。これにより、固定具２の支持部材３は、バルーン８２で拡張されて略筒状となり、各ピン５の背骨部５３は、それぞれ、バルーン８２で血管壁３１０に向けて押し付けられ、これによって、図４に示すように、各ピン５の穿刺部５２は、それぞれ、グラフト２００および血管壁３１０を穿通する。すなわち、各ピン５の穿刺部５２は、それぞれ、その基端部（根元部）までグラフト２００および血管壁３１０を穿通する。また、各ピン５の背骨部５３は、それぞれ、その全長に亘ってグラフト２００に当接し、グラフト２００を血管壁３１０に押し付け、これにより、グラフト２００が血管壁３１０に密着する。
【０１１２】
このようにして、グラフト２００および血管壁３１０に対し、その全周（１周）に亘って、同時に、各ピン５の穿刺部５２が穿刺され、固定具２でグラフト２００が血管壁３１０に固定される。
【０１１３】
次に、必要に応じて（例えば、ピン５の穿刺部５２がその基端部までグラフト２００および血管壁３１０を穿通していない場合等）、バルーン付シャフト８を基端方向（図６中下側）に少し引く（移動させる）。これにより、バルーン８２とともに、各ピン５（固定具２）が、それぞれ、基端方向に僅かに移動し、これによって、各ピン５の穿刺部５２は、それぞれ、確実に、その基端部までグラフト２００および血管壁３１０を穿通する。なお、ピン５の穿刺部５２の軸５２０は、背骨部５３の軸５３０に対して傾斜しており、これにより、穿刺部５２は、血管壁３１０に対して傾斜するように穿刺されるので、ピン５が基端方向（図６中下側）へ移動することで、穿刺部５２は、容易かつ円滑に、その基端部までグラフト２００および血管壁３１０を穿通することができる。
【０１１４】
次に、図７に示すように、バルーン付シャフト８を固定した状態で、ワイヤー９を基端方向（図７中下側）に引く（移動させる）。これにより、各吊糸６の他端側のそれぞれの輪６１からワイヤー９が抜け、これによって、バルーン８２に保持されていた固定具２は、そのバルーン８２から離脱し得るようになる。
【０１１５】
次に、バルーン拡張器（シリンジ４００）により、作動流体をバルーン８２から排出し、バルーン８２を収縮させ、この後、留置物固定装置１を血管３００から抜き取る。
以上のようにして、グラフト２００は、固定具２により血管壁３１０に固定される。
【０１１６】
但し、固定具２の支持部材３および各吊手４は、それぞれ、生分解性材料で構成されているので、支持部材３および各吊手４は、それぞれ、経時的に生体に吸収されてゆき（消失してゆき）、最終的には、図８に示すように、支持部材３および各吊手４は、血管３００内に残らず、各ピン５のみでグラフト２００が血管壁３１０に固定される。すなわち、各ピン５およびグラフト２００のみが血管３００内に留置される。
【０１１７】
以上説明したように、この固定具２（留置物固定システム１００）によれば、血管３００内において、グラフト２００および血管壁３１０に対し、周方向に沿って複数箇所に、同時に、ピン５の穿刺部５２を穿刺することができる。すなわち、グラフト２００および血管壁３１０に対し、その全周に亘って、同時に、各ピン５の穿刺部５２を穿刺することができる。これにより、血管３００内において、血管壁３１０に対し、グラフト２００を容易、迅速かつ確実に固定することができる。
【０１１８】
また、固定具２の支持部材３および各吊手４は、それぞれ、生分解性材料で構成されているので、最終的には、支持部材３および各吊手４は、血管３００内に残らず、各ピン５のみでグラフト２００が血管壁３１０に固定される。これにより、支持部材３を血管３００内から抜去する作業が不要となり、患者の負担が軽減される。
【０１１９】
ここで、本発明では、固定具は、前述した構成のものには限定されず、例えば、図９に示すように、固定具２の支持部材３は、その線状体３１の量が比較的少ないものであってもよい。
【０１２０】
この固定具２によれば、支持部材３をより小さく折り畳むことができ、留置物固定装置１の外筒７の径をより小さくすることができ、これによって、患者の負担を軽減することができる。
【０１２１】
また、本発明では、固定具のピンは、穿刺部を有していれば、前述した構成のものには限定されず、例えば、下記のような構成のものであってもよい。
【０１２２】
穿刺部は、湾曲または屈曲していてもよい。
また、背骨部は、湾曲または屈曲していてもよい。
また、ピンは、複数の穿刺部を有していてもよい。
【０１２３】
また、本発明では、留置物固定装置の拡張体は、バルーンには限定されず、例えば、湾曲変形（弾性変形）する複数の線状体等で構成してもよい。その具体例としては、湾曲変形する複数のワイヤーをバスケット鉗子形状にしたもの等が挙げられる。
【０１２４】
＜第２実施形態＞
図１０および図１１は、それぞれ、本発明の固定具の第２実施形態におけるピンを示す図であって、図１０（ａ）および図１１（ａ）は、それぞれ、正面図、図１０（ｂ）および図１１（ｂ）は、それぞれ、側面図、図１１（ｃ）は、平面図である。なお、以下では、図１０（ａ）、図１０（ｂ）、図１１（ａ）および図１１（ｂ）中の上側を「基端」、下側を「先端」として説明を行う。
【０１２５】
以下、第２実施形態について、前述した第１実施形態との相違点を中心に説明し、同様の事項については、その説明を省略する。
【０１２６】
第２実施形態は、ピン５が、その基端部の背面側に、背面側の表面が平面をなす平面部を有していることが異なること以外は、前記第１実施形態と同様である。
【０１２７】
図１０に示す第２実施形態の固定具２では、ピン５の基端部の背面側、すなわち、背骨部５３の基端部５３２の背面側に、背面側の表面が平面をなす平面部として、平面板（平面部材）１４が固着（固定）されている。平面板１４の幅（図１０（ａ）中横方向の長さ）は、背骨部５３の径よりも大きく設定されており、これにより、平面板１４の背面側の表面の面積が、比較的大きくなっている。
【０１２８】
なお、平面板１４は、図示の構成では、その背面側の表面および正面側の表面のそれぞれが平面であるが、これに限らず、背面側の表面のみが平面であってもよい。
【０１２９】
また、平面板１４を背骨部５３に固着する方法は、特に限定されず、例えば、融着等が挙げられる。
【０１３０】
また、図１１に示す第２実施形態の固定具２では、ピン５の基端部の背面側、すなわち、背骨部５３の基端部５３２に、背面側の表面が平面をなす平面部１５が形成（一体的に形成）されている。平面部１５の幅（図１１（ａ）中横方向の長さ）の最大値は、背骨部５３の径よりも大きく設定されており、これにより、平面部１５の背面側の表面の面積が、比較的大きくなっている。
【０１３１】
この第２実施形態の固定具２によれば、前述した第１実施形態と同様の効果が得られる。
【０１３２】
そして、この第２実施形態の固定具２では、留置物固定装置１のバルーン８２が拡張することにより、固定具２の支持部材３が拡張されて略筒状になるとき、バルーン８２にピン５の平面板１４（図１１に示す固定具２のピン５では平面部１５）が当接し、ピン５の向きが規制され、これによって、確実に、ピン５の穿刺部５２を血管壁３１０側に向けることができる。また、ピン５に対するバルーン８２の接触面積が大きくなり、これにより、バルーン８２がピン５を押す力が、より確実に、ピン５に伝わる。
なお、この第２実施形態は、後述する第３実施形態にも適用することができる。
【０１３３】
＜第３実施形態＞
図１２は、本発明の固定具の第３実施形態におけるピンを示す側面図であって、図１２（ａ）には、自然状態（ピンに外力が付与されていない状態）のときのピンが示され、図１２（ｂ）には、固定具が外筒内に収納され、弾性変形した状態のピンが示されている。なお、以下では、図１２中の上側を「基端」、下側を「先端」として説明を行う。
【０１３４】
以下、第３実施形態について、前述した第１実施形態との相違点を中心に説明し、同様の事項については、その説明を省略する。
【０１３５】
図１２（ａ）に示すように、第３実施形態の固定具２では、ピン５は、２つの穿刺部５２を有している。そして、一方の穿刺部５２は、背骨部５３の基端部（一方の端部）５３２から延長して突出し、他方の穿刺部５２は、背骨部５３の先端部（他方の端部）５３１から延長して突出している。また、各穿刺部５２の軸５２０は、互いに略平行である。
【０１３６】
また、この固定具２は、図１２（ｂ）に示すように、ピン５の各穿刺部５２と背骨部５３とが、接近または接触するように弾性変形した状態（折り畳まれた状態）で、外筒７内の先端部に収納される。
【０１３７】
この第３実施形態の固定具２によれば、前述した第１実施形態と同様の効果が得られる。
【０１３８】
そして、この第３実施形態の固定具２では、ピン５が２つの穿刺部５２を有しているので、ピン５の固定力が増大し（ピン５が抜け難くなり）、グラフト２００を血管壁３１０に、より確実に固定することができる。
【０１３９】
以上、本発明の固定具および留置物固定システムを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１４０】
また、本発明は、前記各実施形態のうちの、任意の２以上の構成（特徴）を組み合わせたものであってもよい。
【０１４１】
また、本発明の固定具および留置物固定システムは、グラフトを血管壁に固定するものには限定されず、この他、例えば、心臓の人工弁（人工心臓弁）、ステントグラフト、ステント等、種々の留置物を、生体管腔内（特に、血流のある部位）において、その生体管腔を画成する生体組織に固定する固定具および留置物固定システムに適用することができる。
【０１４２】
なお、心臓の人工弁は、血液の流量が多い箇所に固定されるので、前述した構成の固定具を用いて固定することにより、確実に固定することができる。
【０１４３】
また、ステントグラフトおよびステントについては、それぞれ、さらに固定具で固定することで、より確実に固定することができる。
【図面の簡単な説明】
【０１４４】
【図１】本発明の留置物固定システムの実施形態を示す側面図である。
【図２】図１に示す留置物固定システムの主要部を示す斜視図（一部、側面図）である。
【図３】本発明の固定具の第１実施形態を示す斜視図である。
【図４】図４は、血管の動脈瘤付近に挿入・留置されたグラフトを図３に示す固定具で血管壁に固定した状態を示す断面図である。
【図５】図１に示す留置物固定システムの作用を説明するための斜視図（一部、側面図）である。
【図６】図１に示す留置物固定システムの作用を説明するための斜視図（一部、側面図）である。
【図７】図１に示す留置物固定システムの作用を説明するための斜視図（一部、側面図）である。
【図８】図１に示す留置物固定システムの作用を説明するための断面斜視図である。
【図９】本発明の固定具の第１実施形態の他の構成例を示す斜視図である。
【図１０】本発明の固定具の第２実施形態におけるピンを示す図である。
【図１１】本発明の固定具の第２実施形態におけるピンを示す図である。
【図１２】本発明の固定具の第３実施形態におけるピンを示す側面図である。
【符号の説明】
【０１４５】
１              留置物固定装置
２              固定具
３              支持部材
３０            軸
３１            線状体
４              吊手
５              ピン
５２            穿刺部
５２０          軸
５２１          先端部
５３            背骨部
５３０          軸
５３１          先端部
５３２          基端部
６              吊糸
６１            輪
７              外筒
８              バルーン付シャフト
８１            シャフト
８２            バルーン
８３            ルーメン
９              ワイヤー
１１            ハブ
１１１          ポート
１２            ハブ
１２１、１２２  ポート
１３            把持部
１４            平面板
１５            平面部
１００          留置物固定システム
２００          グラフト
３００          血管
３１０          血管壁
３２０          動脈瘤
４００          シリンジ
【図１】
2009233201.tif 000003
【図２】
2009233201.tif 000004
【図３】
2009233201.tif 000005
【図４】
2009233201.tif 000006
【図５】
2009233201.tif 000007
【図６】
2009233201.tif 000008
【図７】
2009233201.tif 000009
【図８】
2009233201.tif 000010
【図９】
2009233201.tif 000011
【図１０】
2009233201.tif 000012
【図１１】
2009233201.tif 000013
【図１２】
2009233201.tif 000014